(57)【特許請求の範囲】
【請求項１】
放射性物質を収容した容器を所定の貯蔵エリアに収納するための放射性物質収容容器の収納方法であって、
放射線量に応じて分別した前記貯蔵エリアのグループエリアを設定する工程と、
前記容器の表面における複数箇所の放射線量を測定する工程と、
前記容器において測定した複数箇所の線量測定値のうち最大線量値を抽出し、該最大線量値に基づいて前記グループエリアを特定することで前記貯蔵エリア内での収納位置を決定し、前記容器を当該グループエリア内に収納する工程と、
を有することを特徴とする放射性物質収容容器の収納方法。
【請求項２】
複数の前記グループエリアは、高い線量から低い線量の順に配置され、かつ高い線量のグループエリアを低い線量のグループエリアで囲うように配置されていることを特徴とする請求項１に記載の放射性物質収容容器の収納方法。
【請求項３】
線量測定後の前記容器における最大線量部分を特定し、前記容器の収納する向きを決定することを特徴とする請求項１又は２に記載の放射性物質収容容器の収納方法。
【請求項４】
前記容器は、その最大線量部分が前記貯蔵エリアのうち該貯蔵エリアの周辺に影響が少ない方向を向くように収納されることを特徴とする請求項３に記載の放射性物質収容容器の収納方法。
【発明の詳細な説明】
【技術分野】
【０００１】
本発明は、放射性物質を収容した収容容器の収納方法に関する。
【背景技術】
【０００２】
従来、原子力施設等で多量の放射性物質が発生する場合には、その放射性物質を処理した後の物質（土壌など）を中間貯蔵施設で貯蔵し、管理されることがある。ここで、一般的な放射性物質の貯蔵施設として、放射線の漏洩が低減され遮蔽性能を有するものであって、地下式、半地下式、あるいは地上式（倉庫式）等が知られている（例えば、特許文献１参照）。
【０００３】
特許文献１には、放射性物質を収納したキャニスタを貯蔵するための貯蔵部を有し、貯蔵部の下部吸気口から自然対流により冷却用空気を吸気し、その貯蔵部に収容されるキャニスタの周囲の冷却流路を経由して、上部排気口から外部に冷却済空気を排気させるための貯蔵設備の遮蔽蓋について記載されている。
【先行技術文献】
【特許文献】
【０００４】
【特許文献１】特開２００５−３５１６３０号公報
【発明の概要】
【発明が解決しようとする課題】
【０００５】
しかしながら、従来の放射性物質の貯蔵施設では以下のような問題があった。
すなわち、一時的に多量の放射能汚染物が発生する場合には、ドラム缶、あるいはフレコンパック等の容器に収容された後に中間貯蔵施設に送られる。このような中間貯蔵施設では、一時的に保管するのが目的であり、コストのかからない簡単な構造のものが求められており、上記特許文献１のような特殊な構造の貯蔵設備ではコストがかかるため、施設壁の遮蔽厚を大きくするといった比較的に簡単な構造により対応している。一方、上述した容器は、内部に収容された土壌や汚染物質の放射線濃度によって容器表面の線量率が異なるため、容器の収納位置によって貯蔵エリアの周辺の線量分布にばらつきが生じるという問題があった。例えば、貯蔵エリアの外周側に高濃度の容器が集中的に配置された場合には、その周辺の放射線量が局所的に高くなるおそれがあった。
【０００６】
本発明は、上述する問題点に鑑みてなされたもので、貯蔵エリア周辺の放射線量を平均的に低減することで、施設壁の遮蔽厚を小さくすることができる放射性物質収容容器の収納方法を提供することを目的とする。
【課題を解決するための手段】
【０００７】
上記目的を達成するため、本発明に係る放射性物質収容容器の収納方法では、放射性物質を収容した容器を所定の貯蔵エリアに収納するための放射性物質収容容器の収納方法であって、放射線量に応じて分別した前記貯蔵エリアのグループエリアを設定する工程と、前記容器の表面における複数箇所の放射線量を測定する工程と、前記容器において測定した複数箇所の線量測定値のうち最大線量値を抽出し、該最大線量値に基づいて前記グループエリアを特定することで前記貯蔵エリア内での収納位置を決定し、前記容器を当該グループエリア内に収納する工程と、を有することを特徴としている。
【０００８】
本発明では、容器の表面における線量測定値に応じて貯蔵エリア内での収納位置が決定され、その決定データに基づいて容器を収納位置に移動して収納することができる。例えば、放射線量が高い容器を貯蔵エリアの中央部に収納し、放射線量が小さい容器を貯蔵エリアの外周部に収納することができる。これにより、貯蔵エリア周辺の放射線量を平均化することができ、局所的に高くなるのを防止することができる。そのため、貯蔵エリアが倉庫内に設けられている場合において、遮蔽機能を有する倉庫の壁厚を抑えることができ、特殊な遮蔽構造が不要となり、コストの低減を図ることができる。
また、貯蔵エリアに収納される各容器の最大線量値で貯蔵エリア全体の放射線量が管理されるので、貯蔵エリア周辺の放射線量値を安全側で管理することができる。
【０００９】
また、本発明に係る放射性物質収容容器の収納方法では、複数の前記グループエリアは、高い線量から低い線量の順に配置され、かつ高い線量のグループエリアを低い線量のグループエリアで囲うように配置されていることが好ましい。
【００１１】
また、本発明に係る放射性物質収容容器の収納方法では、線量測定後の前記容器における最大線量部分を特定し、前記容器の収納する向きを決定することが好ましい。
【００１２】
この場合には、容器における線量測定した複数箇所のうち最大線量部分を適宜な方向に向けて配置することができる。例えば貯蔵施設の入口側とは異なる方向や、貯蔵エリア周辺に影響が少ない方向に対して、最大線量部分が向くように収納することも可能である。
【００１３】
また、本発明に係る放射性物質収容容器の収納方法では、前記容器は、その最大線量部分が前記貯蔵エリアのうち該貯蔵エリアの周辺に影響が少ない方向を向くように収納されることがより好ましい。
【００１４】
この場合には、各容器における最大線量部分が常に貯蔵エリアの最内側を向くようにして収納されており、前記最大線量部分が貯蔵エリアの周辺側に向けた状態にならないので、貯蔵エリアの周辺の放射線量をより確実に平均的に低下させることができる。
【００１５】
また、本発明に係る放射性物質収容容器の収納方法では、線量測定された前記容器は、前記線量測定値に応じて予め設定されているグループに分別され、該グループ毎に設定されている前記貯蔵エリアのグループエリア内の収納位置に収納されることが好ましい。
【００１６】
本発明では、予め線量測定値に応じた貯蔵エリアのグループエリアを設定しておくことで、貯蔵エリア内の収納位置が決定し易くなるという利点がある。
【発明の効果】
【００１７】
本発明の放射性物質収容容器の収納方法によれば、貯蔵エリア周辺の放射線量を平均的に低減することで、施設壁の遮蔽厚を小さくすることができる。
【図面の簡単な説明】
【００１８】
【図１】本発明の実施の形態による容器の収納方法を説明するための模式図である。
【図２】線量測定エリアにおける線量測定方法を示す斜視図である。
【図３】貯蔵エリアを有する倉庫の平面図である。
【図４】図３に示すＩ−Ｉ線矢視図であって、貯蔵エリアの側面図である。
【図５】容器の収納方法の動作を示すフロー図である。
【図６】貯蔵エリアにおけるグループエリアを示す図である。
【発明を実施するための形態】
【００１９】
以下、本発明の実施の形態による放射性物質収容容器の収納方法について、図１乃至図５に基づいて説明する。
【００２０】
図１に示すように、本実施の形態による放射性物質収容容器の収納方法は、例えば原子力施設などの放射性物質発生部１０から多量に発生する放射性物質が収容された角型容器からなる容器１（放射性物質収容容器）を、所定の貯蔵エリア２に収納するための方法である。
容器１は、図２に示すように、上面１ａ、下面１ｂ、および４つの側面１ｃ、１ｄ、１ｅ、１ｆからなる６面体の角型状をなしている。なお、この容器１は、６面１ａ〜１ｆのうちのいずれかの面を下側にして配置することができるが、本実施の形態では、いずれの場所であっても図２に示す下面１ｂを下側に向けて収納される。
【００２１】
図３および図４に示すように、貯蔵エリア２は、例えば屋根付きの倉庫や地下部などに確保されるが、本実施の形態では倉庫３内を対象とし、収納する容器１が平面視で横方向（図１でＸ方向）に６列、縦方向（Ｙ方向）に６列、高さ方向（Ｚ方向）に３段が収納可能となっている。なお、図３および図４は、倉庫３内の１区画を示したものであるが、これに限定されず、複数の貯蔵エリア２が倉庫３内に設けられていてもよい。
【００２２】
倉庫３は、平面視で長方形状をなし、一方の短辺部には搬入口３１が設けられ、搬入口３１を入った入口付近には線量測定エリア４が設けられている。そして、倉庫３内には例えば天井クリーン等の図示しない揚重設備が設けられ、この揚重設備の吊り上げ可能範囲が少なくとも線量測定エリア４と貯蔵エリア２との両エリア内で移動可能な範囲となっている。
【００２３】
線量測定エリア４は、図２に示すように、容器１の４側面１ｃ〜１ｆにおける表面の放射線量を測定可能な測定装置５（５Ａ〜５Ｄ）が設けられている。この測定装置５Ａ〜５Ｄは、側面１ｃ〜１ｆのそれぞれに対応している。なお、測定装置５は、１つの測定装置５で各側面１ｃ〜１ｆを測定できる位置に移動させたり、あるいは固定されている測定装置５に対して容器１の向き（側面）を変えることによって測定する構成とすることも可能である。
【００２４】
倉庫３には、測量装置５で測量した測定値に基づいて、貯蔵エリア２における容器１の収納位置と向きからなる収納データを決定するための制御部６が設けられている。この制御部６では、決定した前記容器１の収納データを図示しない揚重設備を駆動させるための揚重制御装置７に向けて発信する。
【００２５】
次に、放射性物質収容容器の収納方法について、図５などに基づいて説明する。
具体的には、図１に示すように、容器１の４側面１ｃ〜１ｆのそれぞれの放射線量を測定する工程と、容器１を線量測定値の大きさに応じて貯蔵エリア２内での収納位置を決定する工程と、を有している。
【００２６】
先ず、ステップＳ１において、放射性物質を収容した容器１を倉庫３の線量測定エリア４に搬入し、その容器１に対して図２に示す線量測定装置５Ａ〜５Ｄを用いて各側面１ｃ〜１ｆの放射線量を測定する。このとき、例えば各側面における中央部を測定箇所とし、その中央部分の測定データを各側面の放射線量として管理する。
【００２７】
次に、図１に示すように、ステップＳ１で測定した各側面１ｃ〜１ｆのデータが制御部６へ送信される。なお、それら測定データは、制御部６に手入力により入力してもよい。そして、ステップＳ２において、測定した４側面１ｃ〜１ｆの線量測定値のうち最大線量値を抽出するとともに、その最大線量値が検出された側面を特定する。
【００２８】
次いで、制御部６において、ステップＳ２で抽出した最大線量値に基づいて受け入れた容器１を、予め設定されているグループに分別される（ステップＳ３）。そして、後述するステップＳ４、５において、これらグループ毎に設定されている貯蔵エリア２のグループエリアＧ（Ｇ１、Ｇ２、Ｇ３）内の収納位置に収納されることになる。
【００２９】
ここで、グループＧは、例えば貯蔵エリア２の中心部（図３で符号ＣＣ、ＣＤ、ＤＣ、ＤＤの収納領域）を第１グループエリアＧ１とし、貯蔵エリア２のうち外周側の領域を第３グループエリアＧ３とし、第１グループエリアＧ１と第３グループエリアＧ３との間の領域を第２グループエリアＧ２とする。つまり、第１グループエリアＧ１は、周囲に第２グループエリアＧ２及び第３グループエリアＧ３に囲まれた状態で配置されるため、高線量値を検出した容器１が分別される。そして、第２グループエリアＧ２の線量基準は第１グループエリアＧ１よりも低い線量とし、第３グループエリアＧ３の線量基準は第２グループエリアＧ２よりさらに低い線量基準とする。
【００３０】
次に、ステップＳ４では、制御部６において、最大線量値に基づいてグループ分けされた容器１のグループエリアＧ内での収納位置と収納する向き（方向）が決定される。このときの容器１の向きは、その最大線量部分が貯蔵エリア２の最内側を向くように設定される。
そして、制御部６で決定した収納データを揚重制御装置７に送り、揚重制御装置７において図示しない揚重設備を使用して測量測定エリア４の容器１を前記収納データに基づく位置、向きで貯蔵エリア２に移動して収納する（ステップＳ５）。
【００３１】
このように放射性物質収容容器の収納方法では、容器１の表面における線量測定値に応じて貯蔵エリア２内での収納位置が決定され、その決定データに基づいて容器１を収納位置に移動して収納することができる。つまり、放射線量が高い容器１を貯蔵エリア２の中央部に収納し、放射線量が小さい容器１を貯蔵エリア２の外周部に収納することができる。これにより、貯蔵エリア２の周辺の放射線量を平均化することができ、局所的に高くなるのを防止することができる。そのため、貯蔵エリア２が倉庫３内に設けられている場合において、遮蔽機能を有する倉庫の壁厚を抑えることができ、特殊な遮蔽構造が不要となり、コストの低減を図ることができる。
【００３２】
また、貯蔵エリア２に収納される容器１は測定した複数箇所の線量測定値のうち最大線量値に基づいて貯蔵エリア２内の収納位置が決定され、貯蔵エリア２に収納される各容器１の最大線量値で貯蔵エリア２全体の放射線量が管理されるので、貯蔵エリア２の周辺の放射線量値を安全側で管理することができる。
【００３３】
また、線量測定後の容器１における最大線量部分を特定し、容器１の収納する向きを決定することから、容器１における線量測定した４側面１ｃ〜１ｆのうち最大線量部分の側面を適宜な方向に向けて配置することができる。本実施の形態では、各容器１における最大線量部分が常に貯蔵エリア２の最内側を向くようにして収納されており、前記最大線量部分が貯蔵エリア２の周辺側に向けた状態にならないので、貯蔵エリア２の周辺の放射線量をより確実に平均的に低下させることができる。
【００３４】
なお、本実施の形態では、貯蔵エリア２の最内側を向くようにして収納する方法としているが、このような収納方法に限定されることはなく、例えば倉庫３の入口（搬入口３１）から離れた方向や、貯蔵エリア２の周辺に影響が少ない方向に対して、最大線量部分が向くように収納することも可能である。
【００３５】
さらに、線量測定された容器１は、線量測定値に応じて予め設定されているグループに分別され、これらグループ毎に設定されている貯蔵エリア２の３つのグループエリアＧ１〜Ｇ３の収納位置に収納されるので、貯蔵エリア２内の収納位置が決定し易くなるという利点がある。
【００３６】
上述のように本実施の形態による放射性物質収容容器の収納方法では、貯蔵エリア２の周辺の放射線量を平均的に低減することで、倉庫２の壁の遮蔽厚を小さくすることができる。
【００３７】
以上、本発明による放射性物質収容容器の収納方法の実施の形態について説明したが、本発明は上記の実施の形態に限定されるものではなく、その趣旨を逸脱しない範囲で適宜変更可能である。
例えば、本実施の形態では貯蔵エリア２に収納される容器１が縦横それぞれ６列で上下方向に３段で収納されるようになっているが、この数量、配列、段数に限定されることはなく、また貯蔵エリア２の平面視形状も矩形であることに限定されることはなく、倉庫３の形状に合わせて適宜設定することが可能である。
また、本実施の形態では貯蔵エリアが倉庫３内に設けた構成としているが、倉庫３であることに限らず、地下空間、地下ピット、トンネルなどに設けられていても良い。
【００３８】
また、本実施の形態では線量測定エリア４を倉庫３内に設けているが、この位置に制限されることはなく、倉庫３の外でも良いし、あるいは原子力施設などの放射性物質発生部１０であってもかまわない。要は、容器１の各部（各面）における線量測定値が制御部６に各面に関連付けされたデータとして入力される構成であれば良いのである。
【００３９】
さらに、本実施の形態では１つの容器１毎に線量を測定し、決定した位置に収納する方法としているが、これに限定されず、線量を測定した複数の容器１のそれぞれの最大線量値を順位付けした後、この順位に基づいて収納位置を決定する収納方法とすることも可能である。
【００４０】
さらにまた、線量測定値に応じて予め設定されている３つのグループＧに分別されているが、グループ数は３つであることに限定されず、また各グループＧにおける収納エリアも適宜設定することができる。なお、グループに分別する工程を省略することも可能である。
【００４１】
また、本実施の形態では容器１として６面体の角型容器を採用し、その側面１ｃ〜１ｆを線量測定対象としているが、上面１ａ及び下面１ｂを測定対象とし、収納位置、向きを決定するようにしても良いし、例えば４側面のうち所定の２側面を測定対象とすることも可能である。さらに、角型容器に限定されず、ドラム缶、あるいはフレコンパック等の容器であっても良い。
【００４２】
その他、本発明の趣旨を逸脱しない範囲で、上記した実施の形態における構成要素を周知の構成要素に置き換えることは適宜可能である。
【符号の説明】
【００４３】
１  容器（放射性物質収容容器）
１ｃ〜１ｆ  側面
２  貯蔵エリア
３  倉庫
４  線量測定エリア
５、５Ａ〜５Ｄ  測定装置
６  制御部
７  揚重制御装置
Ｇ、Ｇ１〜Ｇ３  グループエリア
【図１】
0005794533.tif 000002
【図２】
0005794533.tif 000003
【図３】
0005794533.tif 000004
【図４】
0005794533.tif 000005
【図５】
0005794533.tif 000006
【図６】
0005794533.tif 000007